(57)【要約】【課題】ガイド部材を容易に後付けすることができる継手を提供すること。【解決手段】継手１００は、軸方向に延設された筒状の継手本体１と、継手本体１の軸方向一方側の外周部１ａに、筒状のカバー部材２を介在させて外嵌させた筒状のキャップ３と、を備え、継手本体１の軸方向一方側の外周部１ａと、カバー部材２及びキャップ３との間に、筒状に形成されたガイド挿設空間Ｓ１を有する。キャップ３は、カバー部材２に連結される連結部３ａと、連結部３ａよりも小径の内径を有する開口部３ｂと、を有する。開口部３ｂの内側開口縁３ｃには、前記開口部３ｂ内に押し込んだ環状のガイド部材６のキャップ係止部６ａが、軸方向外側に移動不能に配置されると共に、軸方向内側に移動可能に配置される。【選択図】図１
2020204365.tif 000002
【特許請求の範囲】
【請求項１】
軸方向に延設された筒状の継手本体と、
前記継手本体の軸方向一方側の外周部に、筒状のカバー部材を介在させて外嵌させた筒状のキャップと、を備え、
前記継手本体の軸方向一方側の前記外周部と、前記カバー部材及び前記キャップとの間に、筒状に形成されたガイド挿設空間を有する継手であって、
前記キャップは、前記カバー部材に連結される連結部と、
前記連結部よりも小径の内径を有する開口部と、を有し、
前記開口部の内側開口縁には、前記開口部内に押し込んだ環状のガイド部材のキャップ係止部が、軸方向外側に移動不能に配置されると共に、軸方向内側に移動可能に配置されること、
を特徴とする継手。
【請求項２】
前記ガイド部材の外周面と、前記開口部との間には、蓋体突起設置空間が形成され、
前記蓋体突起設置空間には、前記開口部を閉塞する蓋体の係止突起部が着脱可能に挿着されること、
を特徴とする請求項１に記載の継手。
【請求項３】
前記係止突起部の内壁には、凸部が形成され、
前記凸部には、前記ガイド部材の外周面に形成された凹部が着脱可能に係止されること、
を特徴とする請求項２に記載の継手。
【請求項４】
前記ガイド挿設空間に面する前記継手本体の外周部には、シール部材が設けられ、
前記ガイド部材は、前記ガイド挿設空間の奥側方向に拡開して形成されて、当該ガイド部材を前記ガイド挿設空間の奥側方向に押し込んだ際に、前記シール部材に当接する拡開傾斜面を有していること、
を特徴とする請求項１から請求項３のいずれか１項に記載の継手。
【請求項５】
請求項１ないし請求項４のいずれか１項に記載の前記継手に前記ガイド部材を組み付けるガイド部材の組付方法であって、
前記ガイド部材は、前記開口部を閉塞する蓋体の係止突起部の内壁面に着脱可能に内嵌させて一体化させた状態で、前記係止突起部を前記開口部内に押し込むことによって、前記キャップ係止部が、前記ガイド挿設空間内に軸方向外側に移動不能に配置されること、
を特徴とするガイド部材の組付方法。
【請求項６】
前記ガイド部材は、前記蓋体を分離することで、軸方向内側に移動可能に配置されること、
を特徴とする請求項５に記載のガイド部材の組付方法。
【発明の詳細な説明】
【技術分野】
【０００１】
本発明は、継手及びガイド部材の組付方法に関する。
【背景技術】
【０００２】
従来から住宅内の給水配管や、給湯配管に使用される継手として、樹脂製配管を継手に差し込むだけで、ワンタッチで接続することができる継手が知られている（例えば、特許文献１参照）。
【０００３】
特許文献１に記載の継手には、配管の先端部が挿入される差込み隙間が設けられている。その差込み隙間の内面には、配管との間をシールすると共に、継手内に差し込まれる配管の先端部の挿入を案内する樹脂製のガイド（挿入ガイド）が設置されている。
【０００４】
そのガイド（１０）は、継手内に設置された内筒（３）と、内筒（３）の外側に取り付けられた外筒（４）と、の間の間隙（Ｇ）に挿入されて、外筒（４）にキャップ（６）をスナップ嵌合させることで、継手本体（１）内に設けられている。
【先行技術文献】
【特許文献】
【０００５】
【特許文献１】特開２０１２−５２５７４号公報
【発明の概要】
【発明が解決しようとする課題】
【０００６】
しかしながら、特許文献１に記載の管継手は、漏水しないように各部品を互いにしっかりと固定させている。このため、組立時に、ガイド（１０）を管継手内に組み付けるのを忘れた場合に、ガイド（１０）を後付けすることが困難な構造になっていた。
【０００７】
また、外筒（４）やキャップ（６）等をナット（角）形状に形成して分解可能とした管継手であっても、ガイド（１０）を後付けする際に、ガイド（１０）等の位置合わせが必要で、ガイド（１０）を後付けするのが面倒な構造になっている。
【０００８】
本発明は、ガイド部材を容易に後付けすることができる継手及びガイド部材の組付方法を提供することを課題とする。
【課題を解決するための手段】
【０００９】
前記課題を解決するため、本発明は、軸方向に延設された筒状の継手本体と、前記継手本体の軸方向一方側の外周部に、筒状のカバー部材を介在させて外嵌させた筒状のキャップと、を備え、前記継手本体の軸方向一方側の前記外周部と、前記カバー部材及び前記キャップとの間に、筒状に形成されたガイド挿設空間を有する継手であって、前記キャップは、前記カバー部材に連結される連結部と、前記連結部よりも小径の内径を有する開口部と、を有し、前記開口部の内側開口縁には、前記開口部内に押し込んだ環状のガイド部材のキャップ係止部が、軸方向外側に移動不能に配置されると共に、軸方向内側に移動可能に配置されることを特徴とする。
【発明の効果】
【００１０】
本発明は、ガイド部材を容易に後付けすることができる継手及びガイド部材の組付方法を提供することができる。
【図面の簡単な説明】
【００１１】
【図１】本発明に係る継手の拡大断面図である。
【図２】（ａ）はガイド部材と蓋体とを分解したときの状態を示す拡大断面図、（ｂ）はガイド部材と蓋体とを組み付けたときの状態を示す拡大断面図である。
【図３】ガイド部材及び蓋体を継手に取り付けるときの状態を示す分解拡大断面図である。
【図４】ガイド部材及び蓋体を継手に取り付けたときの状態を示す断面図である。
【図５】ガイド部材及び蓋体を継手に取り付けた後に蓋体を離脱させたときの状態を示す断面図である。
【図６】継手に配管を差し込むときの状態を示す断面図である。
【図７】継手に差し込んだ配管によってガイド部材がシール部材設置位置を通過するときの状態を示す断面図である。
【図８】配管を継手内の所定位置まで挿入させて接続させたときの状態を示す断面図である。
【発明を実施するための形態】
【００１２】
本発明の実施形態に係る継手１００及びガイド部材６の組付方法を図1から図８を参照して説明する。方向を説明する際は、図１に示す継手本体１のネジ部１ｂ側を前（他方側）、蓋体７側を後（一方側）として説明する。
【００１３】
＜継手＞
図１に示す継手１００は、例えば、住宅内等において、給水配管あるいは給湯配管等の配管８（図８参照）を繋ぐための配管継手である。継手１００は、継手本体１と、カバー部材２と、キャップ３と、ストッパ４と、シール部材５と、ガイド部材６と、蓋体７と、ガイド挿設空間Ｓ１と、蓋体突起設置空間Ｓ２と、を備えて構成されている。
【００１４】
＜継手本体＞
継手本体１は、軸方向に延設された銅合金等の金属製、または、ポリフェニレンサルファイド（ＰＰＳ）等の樹脂製の筒状部材から成る。継手本体１には、軸心線上に前側から後側に向かって縮径した通水孔１ｇが形成されている。継手本体１の外周部１ａには、前側から順に、ネジ部１ｂ、角形係合部１ｃ、カバー部材取付部１ｄ、空間形成部１ｅ、シール部材設置溝１ｆが形成されている。
【００１５】
図１に示すネジ部１ｂは、継手１００を取り付ける取付部材（図示省略）に形成された雌ネジ部に螺合する雄ネジ部である。
角形係合部１ｃは、ネジ部１ｂを取付部材（図示省略）の雌ネジ部に螺合させる際に、スパナ等の工具を係合させる箇所である。
カバー部材取付部１ｄは、カバー部材２の前端部内側に形成された係合凸部２ａが係合されて、カバー部材２が取り付けられる凹部である。
【００１６】
空間形成部１ｅは、ガイド挿設空間Ｓ１の内壁（継手本体側の壁面）を形成する段差部である。空間形成部１ｅには、カバー部材２、キャップ３、ガイド部材６、及び、蓋体７の係止突起部７ａが配置される。
シール部材設置溝１ｆは、シール部材５が設置される環状溝である。シール部材設置溝１ｆは、空間形成部１ｅの略中央部に適宜な間隔を介して形成された複数の溝から成る。
【００１７】
＜カバー部材＞
図１に示すように、カバー部材２は、ガイド挿設空間Ｓ１の外壁を形成すると共に、キャップ３及びストッパ４を設置するための筒状部材である。カバー部材２には、前記した係合凸部２ａと、ガイド挿設空間形成部２ｂと、キャップ取付部２ｃと、ストッパ取付部２ｄと、が形成されている。カバー部材２は、例えば、ポリアミド（ＰＡ）等の樹脂等の透明部材によって形成されて、カバー部材２の内側に配置されるシール部材５、ガイド部材６及び配管８（図８参照）の設置状態が外部から視認可能な状態にしている。
【００１８】
ガイド挿設空間形成部２ｂは、ガイド挿設空間Ｓ１の外壁を形成する段差面である。ガイド挿設空間形成部２ｂは、カバー部材２の後側内面に形成されている。
キャップ取付部２ｃは、キャップ３の連結部３ａが連結される係合箇所である。キャップ取付部２ｃは、カバー部材２の後側外周面に断面視して凹凸形状に形成されている。
ストッパ取付部２ｄは、ストッパ４が取り付けられる係合箇所である。ストッパ取付部２ｄは、カバー部材２の後側端部に断面視して略三角形状に形成されている。
【００１９】
＜キャップ＞
図１に示すように、キャップ３は、継手本体１の軸方向一方側の外周部１ａに、筒状のカバー部材２を介在させてスナップ嵌合で外嵌させた筒状のエンドキャップである。キャップ３は、ポリアセタール（ＰＯＭ）等の樹脂製のものから成る。キャップ３は、連結部３ａと、開口部３ｂと、内側開口縁３ｃと、外側開口縁３ｄと、を有している。
【００２０】
連結部３ａは、カバー部材２に連結される係合箇所である。連結部３ａは、キャップ３の内面の前側寄りの箇所に、断面視して凹凸形状に形成されている。
開口部３ｂは、連結部３ａよりも小径の内径を有する内鍔部である。つまり、開口部３ｂは、筒状のキャップ３の後端部から軸心線に向けて突出形成された厚板状部位である。
【００２１】
内側開口縁３ｃは、環状のガイド部材６のキャップ係止部６ａが、軸方向外側（後方向側）に移動不能に配置されると共に、軸方向内側（前方向側）に移動可能に配置される箇所であって、開口部３ｂの前側端部（内側端部）である。
外側開口縁３ｄは、蓋体７を開口部３ｂに取り付けた際に、蓋体７の前側表面７ｃが当接される端面である。
【００２２】
＜ガイド挿設空間＞
図１に示すように、ガイド挿設空間Ｓ１は、継手本体１の軸方向一方側の外周部１ａと、カバー部材２及びキャップ３との間に、筒状に形成された空間（隙間）である。
【００２３】
＜蓋体突起設置空間＞
蓋体突起設置空間Ｓ２は、ガイド部材６の外周面６ｂと、開口部３ｂとの間に形成された空間（隙間）である。蓋体突起設置空間Ｓ２には、開口部３ｂを閉塞する蓋体７の係止突起部７ａが着脱可能に挿着される。
【００２４】
＜ストッパ＞
ストッパ４は、例えば、バネ用のステンレス鋼（ＳＵＳ）等の金属製の環状板部材から成る。ストッパ４は、断面視して略Ｃ字状（くの字状）に形成されて、ストッパ取付部２ｄに後側から装着される。ストッパ４の径方向内側端部には、継手１００内に配管８（図７及び図８参照）を挿入した際に、配管８の外周面が摺接する。
【００２５】
＜シール部材＞
図１に示すように、シール部材５（５１，５２）は、例えば、適宜な間隔で配置された２つの環状のＯリング（ゴムパッキン）から成る。シール部材５は、ガイド挿設空間Ｓ１に面する継手本体１の外周部１ａのシール部材設置溝１ｆに、径方向内側端部がシール部材設置溝１ｆから突出するように係合されている。シール部材５は、エチレンプロピレンジエンゴム（ＥＰＤＭ）等のゴム材料によって形成されている。シール部材５には、継手１００内に配管８（図７及び図８参照）を挿入した際に、ガイド部材６の拡開傾斜面６ｃと、配管８の外周面と、が摺接する。
【００２６】
＜ガイド部材＞
図６〜図８に示すように、ガイド部材６は、配管８の前端部を継手１００のガイド挿設空間Ｓ１内に差し込んで接続させる際に、配管８の挿入をガイドするポリプロピレン（ＰＰ）等の樹脂製の環状部材である。図２（ａ）に示すように、ガイド部材６には、キャップ係止部６ａと、外周面６ｂと、拡開傾斜面６ｃと、爪部６ｄと、凹部６ｆと、が形成されている。図７に示すように、ガイド部材６は、ガイド挿設空間Ｓ１の奥側方向に拡開して形成され、当該ガイド部材６をガイド挿設空間Ｓ１の奥側方向に押し込んだ際に、シール部材５に当接する拡開傾斜面６ｃを有し、シール部材５のはみ出し防止機能を備えている。
【００２７】
図２（ａ）に示すように、キャップ係止部６ａは、キャップ３の内側開口縁３ｃに係止する係止爪形状に形成された箇所である。キャップ係止部６ａは、ガイド部材６の外側前端部に突設されている。
【００２８】
外周面６ｂは、蓋体７の係止突起部７ａに着脱可能に装着される部位である。外周面６ｂの後端部には、蓋体７の環状の凸部７ｂが係合する環状の凹部６ｆが形成されている。このため、ガイド部材６は、環状の係止突起部７ａ内に押し込むことによって、爪部６ｄが凸部７ｂに係合されて着脱できるようになっている。
【００２９】
拡開傾斜面６ｃは、ガイド部材６を配管８によって、ガイド挿設空間Ｓ１の奥側に押し込んだ際に、シール部材５に徐々に圧接して、配管８をスムーズに差し込めるようにするためのガイド面である。
【００３０】
爪部６ｄは、略円筒状のガイド部材６の蓋体７側の外周端部に突設されている。
凹部６ｆは、凸部７ｂが係合される環状の溝である。凹部６ｆは、爪部６ｄのキャップ係止部６ａ側に隣設されて、爪部６ｄに沿って形成されている。
【００３１】
＜蓋体＞
蓋体７は、継手１００を使用しないときに、塵埃等がガイド挿設空間Ｓ１に侵入するのを抑止するための閉塞体である。蓋体７には、係止突起部７ａと、凸部７ｂと、前側表面７ｃと、が形成されている。蓋体７は、例えば、ポリプロピレン（ＰＰ）等の樹脂製の略円板状の部材から成る。
【００３２】
係止突起部７ａは、蓋体７の前側の面から突出形成された環状突起である。係止突起部７ａの内壁には、凸部７ｂが形成されている。
凸部７ｂには、ガイド部材６の外周面６ｂに形成された凹部６ｆが着脱可能に係合される。
前側表面７ｃは、蓋体７を継手１００に取り付けた際に、キャップ３の外側開口縁３ｄに当設する箇所である。
【００３３】
＜配管＞
図８に示す配管８は、例えば、架橋ポリエチレン管、ポリブテン管等の樹脂製のものがメインであるが、アルミニウム管状の内側と外側を樹脂等で被覆したアルミニウム三層管や、金属製のものであってもよい。
【００３４】
［作用］
次に、図２〜図８を主に参照して、本発明の実施形態に係る継手１００及びガイド部材６の組付方法の作用を組付順について説明する。
【００３５】
図２（ａ）に示すガイド部材６は、予め、凹部６ｆを蓋体７の凸部７ｂにスナップ嵌合させて、図２（ｂ）に示すように、蓋体７と一体化させておく。
【００３６】
図３に示すように、継手１００は、まず、シール部材５を装着した継手本体１に、カバー部材２に押し込んで装着させる。次に、カバー部材２のストッパ取付部２ｄにストッパ４を係合させて、キャップ取付部２ｃにキャップ３の連結部３ａを押し込んで、カバー部材２にキャップ３を装着させる。このようにして組み立てられた継手１００は、ネジ部１ｂを設置箇所に設けられた雌ネジ部（図示省略）に螺着することで、設置箇所に取り付けられる。
【００３７】
その継手１００に配管８（図８参照）を接続しないときは、図３及び図４に示すように、蓋体７に取り付けたガイド部材６のキャップ係止部６ａを、開口部３ｂ内に押し込んで内側開口縁３ｃに係止させることで、ガイド部材６及び蓋体７を継手１００に組み付ける。開口部３ｂは、蓋体７によって閉塞されるため、継手１００内に塵埃等が侵入するのを抑止することができる。また、ガイド部材６は、蓋体７が無ければ、継手１００に取り付けることができない構造になっているため、継手１００へのガイド部材６の組み付け忘れを解消することができる。
【００３８】
継手１００に配管８（図８参照）を組み付ける場合は、まず、図５に示すように、蓋体７をガイド部材６から離脱させて、開口部３ｂ内から引き抜く。このように、蓋体７は、継手１００に配管８を取り付ける寸前まで取り付けておくことができるため、継手１００内に塵埃や異物が侵入してシール部材５に付着するのを防止することができる。
【００３９】
次に、図６に示すように、配管８の先端部を開口部３ｂ内に入れて、ガイド部材６を押し込む。すると、配管８に押し込まれたガイド部材６は、図７に示すように、キャップ係止部６ａでストッパ４の径方向内側を拡開させ、拡開傾斜面６ｃをシール部材５に押し当てて圧縮させながらガイド挿設空間Ｓ１の奥側（前側）に摺動して、図８に示すように、ガイド挿設空間Ｓ１の前端まで押し込まれる。このため、ガイド部材６は、組み付け時に位置合わせしなくても、継手１００の所定位置に容易に後付けさせることができる。
【００４０】
ガイド挿設空間Ｓ１内に差し込まれた配管８は、内壁面に２つのシール部材５が弾接して密着し、外周面にストッパ４が弾接して密着した状態に、継手１００に接続される。
この場合、カバー部材２は、透明部材によって形成され、カバー部材２の内側のシール部材５、ガイド部材６及び配管８の設置状態の視認や、取付不良の確認をすることが可能になっている。
【００４１】
図１に示すように、本実施形態に係る継手１００において、軸方向に延設された筒状の継手本体１と、継手本体１の軸方向一方側の外周部１ａに、筒状のカバー部材２を介在させて外嵌させた筒状のキャップ３と、を備え、継手本体１の軸方向一方側の外周部１ａと、カバー部材２及びキャップ３との間に、筒状に形成されたガイド挿設空間Ｓ１を有する継手１００であって、キャップ３は、カバー部材２に連結される連結部３ａと、連結部３ａよりも小径の内径を有する開口部３ｂと、を有し、開口部３ｂの内側開口縁３ｃには、前記開口部３ｂ内に押し込んだ環状のガイド部材６のキャップ係止部６ａが、軸方向外側に移動不能に配置されると共に、軸方向内側に移動可能に配置される。
【００４２】
かかる構成によれば、開口部３ｂの内側開口縁３ｃには、環状のガイド部材６のキャップ係止部６ａが、軸方向外側に移動不能に配置されると共に、軸方向内側に移動可能に配置されることで、継手１００を組み立てた後に、ガイド部材６を継手１００に容易に後付けすることができる。このため、本発明は、従来、継手の組立時に、ガイド（１０）を管継手内に組み付けるのを忘れた場合に、ガイド（１０）を後付けすることが困難であった問題点を解消して、継手１００の組付性を向上させることができる。また、開口部３ｂ内に配置されたガイド部材６は、軸方向外側に移動不能に配置されるので、開口部３ｂから抜け出すことなく後付けすることができる。
【００４３】
また、図１に示すように、ガイド部材６の外周面６ｂと、開口部３ｂとの間には、蓋体突起設置空間Ｓ２が形成され、蓋体突起設置空間Ｓ２には、開口部３ｂを閉塞する蓋体７の係止突起部７ａが着脱可能に挿着される。
【００４４】
かかる構成によれば、蓋体突起設置空間Ｓ２には、開口部３ｂを閉塞する蓋体７の係止突起部７ａが着脱可能に挿着されることで、開口部３ｂを蓋体７によって容易に閉塞することができる。このため、継手１００に配管８を取り付けない場合には、開口部３ｂを蓋体７で閉塞して、塵埃等が継手１００内に侵入するのを抑止することができる。
【００４５】
また、図２（ａ）、（ｂ）に示すように、係止突起部７ａの内壁には、凸部７ｂが形成され、凸部７ｂには、ガイド部材６の外周面６ｂに形成された凹部６ｆが着脱可能に係止される。
【００４６】
かかる構成によれば、蓋体７は、凸部７ｂにガイド部材６の凹部６ｆが着脱可能に係止されるので、継手１００に着脱可能に取り付けることができる。
【００４７】
また、ガイド挿設空間Ｓ１に面する継手本体１の外周部１ａには、シール部材５が設けられ、ガイド部材６は、ガイド挿設空間Ｓ１の奥側方向に拡開して形成されて、当該ガイド部材６をガイド挿設空間Ｓ１の奥側方向に押し込んだ際に、シール部材５に当接する拡開傾斜面６ｃを有している。
【００４８】
かかる構成によれば、ガイド部材６は、シール部材５に当接する斜めの形状の拡開傾斜面６ｃを有していることで、配管８によってガイド挿設空間Ｓ１内に押し込んで奥側に配置する際に、シール部材５が設置されてあっても、拡開傾斜面６ｃがシール部材５に徐々に強く当接するので、押し込み易い。このため、シール部材５は、ガイド部材６の拡開傾斜面６ｃによって押されて徐々に変形するので、ガイド部材６の挿入抵抗を急激に変化させないため、損傷し難く、ガイド部材６（配管８）のスムーズな挿入を可能にする。
【００４９】
また、図１または図２（ａ）、（ｂ）に示すように、継手１００にガイド部材６を組み付けるガイド部材の組付方法であって、ガイド部材６は、開口部３ｂを閉塞する蓋体７の係止突起部７ａの内壁面に着脱可能に内嵌させて一体化させた状態で、係止突起部７ａを開口部３ｂ内に押し込むことによって、キャップ係止部６ａが、ガイド挿設空間Ｓ１内に軸方向外側に移動不能に配置される。
【００５０】
かかる構成によれば、ガイド部材６は、継手１００を組み立てた後に、蓋体７の係止突起部７ａを開口部３ｂ内に押し込むことで、継手１００内のガイド挿設空間Ｓ１内に後付けすることができる。ガイド部材６と蓋体７とは、一体化させて、ガイド部材６を継手１００内で軸方向外側に動かないように蓋体７に係止させることによって、所定位置に位置決めすることができる。ガイド部材６は、軸方向外側に移動不能に配置され、蓋体７から分離することなく後付けすることができる。
【００５１】
また、ガイド部材６は、蓋体７を分離することで、軸方向内側に移動可能に配置される。
かかる構成によれば、開口部３ｂに係止されたキャップ係止部６ａを有するガイド部材６は、開口部３ｂを挟んで軸方向外側に一体化された状態に配置された蓋体７から分離されることで、軸方向内側へ移動できるようになる。そのガイド部材６は、軸方向外側へ移動させた場合、キャップ係止部６ａが開口部３ｂの内側開口縁３ｃに係止されて軸方向外側への移動が規制されるため、開口部３ｂ内から抜け出すことがない。
【００５２】
［変形例］
以上、本実施形態に係る継手１００及びガイド部材６の組付方法について、図面を参照して詳細に説明したが、本発明はこれに限定されるものではなく、本発明の主旨を逸脱しない範囲で適宜変更可能である。
【００５３】
例えば、図２（ａ）に示すガイド部材６の凹部６ｆと、蓋体７の凸部７ｂとは、環状に形成されたもので限定されるものではなく、適宜な間隔で配置された複数のものであってもよい。
また、ガイド部材６または蓋体７、あるいは両方に、割りがあってもよい。
また、ガイド部材６と蓋体７において、凹部と凸部（スナップ嵌合）は、逆の組合せでもよい。
【００５４】
図７及び図８に示すように、透明なカバー部材２の内側に配置されるガイド部材６は、着色する等して有色にすることで、ガイド部材６及び配管８の差し込み状態を確認し易くすることができる。
【００５５】
図１に示すカバー部材取付部１ｄと係合凸部２ａとは、互いに螺合し合うネジ溝で形成して、カバー部材２が継手本体１に取り付けられるようにしてもよい。
また、連結部３ａ及びキャップ取付部２ｃは、互いに係合するネジ形状のものであってもよい。
【符号の説明】
【００５６】
１      継手本体
１ａ    外周部
２      カバー部材
３      キャップ
３ａ    連結部
３ｂ    開口部
３ｃ    内側開口縁
５      シール部材
６      ガイド部材
６ａ    キャップ係止部
６ｂ    外周面
６ｃ    拡開傾斜面
６ｆ    凹部
７      蓋体
７ａ    係止突起部
７ｂ    凸部
１００  継手
Ｓ１    ガイド挿設空間
Ｓ２    蓋体突起設置空間
【図１】
2020204365.tif 000003
【図２】
2020204365.tif 000004
【図３】
2020204365.tif 000005
【図４】
2020204365.tif 000006
【図５】
2020204365.tif 000007
【図６】
2020204365.tif 000008
【図７】
2020204365.tif 000009
【図８】
2020204365.tif 000010